(57)【要約】【課題】結像光学部の交換作業を容易に行う。【解決手段】受光センサ、レンズユニット１９、照明装置等を取付ベース１７に組付けた光学ユニットを、本体ケース１２内に配設してバーコードリーダを構成する。本体ケース１２の下面部の結像光学部収容部１７ａの下方部位に、蓋２５により開閉される開口部２４を設ける。取付ベース１７の底板部に、レンズユニット１９に対応した開口１７ｂを形成する。取付板部２８上にレンズユニット１９を位置決め保持する位置決め保持部２９を有する保持部材２７に、レンズユニット１９を保持させ、その保持部材２７を開口１７ｂ部分にねじ止めにより着脱可能に取付けるようにする。【選択図】　図１
2004054840.tif 000002
【特許請求の範囲】
【請求項１】
読取口を有し手持ち操作可能に構成された本体ケース内に、光学的情報を読取る受光センサと、結像レンズを含む結像光学部とを配設してなり、光学的情報からの光を前記読取口から入射し、前記結像光学部を介して前記受光センサ上に結像させるようにした光学的情報読取装置であって、
前記本体ケースには、蓋により開閉される開口部が設けられており、
前記結像光学部は、前記開口部の開放状態で前記本体ケースから挿抜可能に配設されていることを特徴とする光学的情報読取装置。
【請求項２】
前記開口部は、前記本体ケースの下面部に設けられていることを特徴とする請求項１記載の光学的情報読取装置。
【請求項３】
前記本体ケース内には、少なくとも前記開口部側が開口する結像光学部収容部を有すると共に前記受光センサが位置決め状態に取付けられる光学部取付部材が配設され、
前記結像光学部は、保持部材に保持された状態で、前記結像光学部収容部に対して前記受光センサの読取光軸とは交差する方向に挿抜されるように構成されていることを特徴とする請求項１又は２記載の光学的情報読取装置。
【請求項４】
前記保持部材は、前記結像光学部を位置決め状態に保持する位置決め保持部を有すると共に、前記光学部取付部材の所定位置に着脱可能に取付けられるようになっていることを特徴とする請求項３記載の光学的情報読取装置。
【請求項５】
前記蓋は、前記結像光学部を位置決め状態に保持する位置決め保持部を有する保持部材と一体化されていると共に、前記光学部取付部材に対して所定の位置関係を維持するように前記本体ケースに取付けられて前記開口部を閉塞するように構成されていることを特徴とする請求項３記載の光学的情報読取装置。
【請求項６】
前記蓋は、前記結像光学部をルーズな状態に保持する保持部材を一体的に有して構成されていると共に、該蓋が前記開口部を閉塞すべく前記本体ケースに取付けられることにより、前記光学部取付部材に設けられた位置決め保持部によって前記結像光学部が位置決め状態に保持されるように構成されていることを特徴とする請求項３記載の光学的情報読取装置。
【請求項７】
前記位置決め保持部は、少なくとも一対の弾性を有する挟持爪を有し、前記結像光学部が前記挟持爪間に挿入されることにより、それら挟持爪の弾性によって挟み込んで保持するように構成されていることを特徴とする請求項４ないし６のいずれかに記載の光学的情報読取装置。
【請求項８】
前記結像光学部収容部は、前記開口以外が隔壁により囲まれて閉鎖空間を形成するようになっていると共に、前記隔壁のうち少なくとも前記受光センサの読取光軸が通る２面は透光性を有して構成されていることを特徴とする請求項３ないし７のいずれかに記載の光学的情報読取装置。
【請求項９】
前記保持部材は、複数の結像光学部を保持することが可能に構成され、そのうち一の結像光学部が前記読取光軸上に位置されて入射光を前記受光センサ上に結像させるようになっていることを特徴とする請求項３ないし８のいずれかに記載の光学的情報読取装置。
【請求項１０】
前記保持部材は、複数の方向に取付け可能とされており、その取付方向を変更することにより、前記読取光軸上に位置される結像光学部が変更されるように構成されていることを特徴とする請求項９記載の光学的情報読取装置。
【請求項１１】
前記複数の結像光学部は、光学特性のうち少なくとも焦点距離が互いに相違するものとされることを特徴とする請求項９又は１０記載の光学的情報読取装置。
【発明の詳細な説明】
【０００１】
【発明の属する技術分野】
本発明は、手持ち操作可能な本体ケース内に、受光センサ及び結像光学部等から構成される読取機構を組込んでなる光学的情報読取装置に関する。
【０００２】
【発明が解決しようとする課題】
光学的情報例えばバーコードを読取るためのハンディタイプのバーコードリーダは、図１０に概略的に示すように、前後方向に縦長な薄形の矩形箱状をなす本体ケース１内に、バーコードを光学的に読取るための読取機構２を備えて構成されている。この読取機構２は、受光センサ３、結像光学部４、照明装置５等から構成されている。そのうち照明装置５は、照明光源（例えばＬＥＤ）６と、その前部に配置された照明用レンズ７とを、読取光軸Ｌの左右に設けて構成されている。尚、図示はしないが、この読取機構２は、内ケースに前記受光センサ３、結像光学部４、照明装置５等を位置合わせ状態に組付けてユニット化され、その状態で本体ケース１内に組付けられるようになっている。
【０００３】
これにて、照明装置５により、本体ケース１の前端部の読取口１ａから読取対象（バーコード）に対して照明光を照射し、その反射光を読取口１ａから入射して、結像光学部４を介して受光センサ３により撮像するようになっている。このとき、詳しく図示はしないが、前記結像光学部４は、円筒状の筒体（鏡筒）内に、複数枚の結像レンズを設けて構成されており、バーコードリーダの読取距離（読取口１ａから読取対象までの距離）や読取範囲（読取幅）は、この結像光学部４の光学特性（主として焦点距離）により予め決まったものとなる。
【０００４】
ところで、ユーザが上記バーコードリーダを購入し使用する場合、その使用状況（例えばバーコードを離れて読取るか、接触させるようにして読取るか等）に応じた光学特性（焦点距離）のものを選択することになるが、使用途中で使用状況が変化し、光学特性を新たな使用状況に適したものに変更したい、つまり結像光学部４を別のものに交換したいケースが考えられる。ところが、従来のものでは、結像光学部４は固定的に設けられていて、着脱（交換）する仕様とはなっておらず、その交換作業は困難性を伴うものであった。
【０００５】
この場合、本体ケース１を分解して結像光学部４を別のものに交換することは必ずしも不可能ではないものの、かなり面倒な作業が必要となると共に、受光センサ３と結像光学部４との位置関係にずれが生じたり、作業中に配線部分に触れてしまい断線等を起こしたりする虞もあった。尚、例えば特開平１１−３３８９６２号公報には、装置本体内に、焦点距離の異なる２組のセンサユニットを設けてそれらを使い分ける構成が示されているが、これでは装置が大形となると共に構成が複雑となって高価となる不具合がある。
【０００６】
本発明は上記事情に鑑みてなされたもので、その目的は、結像光学部の交換作業を容易に行うことができる光学的情報読取装置を提供するにある。
【０００７】
【課題を解決するための手段】
上記目的を達成するため、本発明の光学的情報読取装置は、本体ケースに蓋により開閉される開口部を設け、結像光学部を、その開口部の開放状態で本体ケースから挿抜可能に配設した構成に特徴を有する（請求項１の発明）。これによれば、蓋を開いて本体ケースの開口部を開放状態とすることにより、結像光学部が挿脱できるので、本体ケースを分解するような場合と比べて、ユーザは、結像光学部の交換作業を容易に行うことが可能となる。
【０００８】
このとき、上記開口部を、本体ケースの下面部に設けることが望ましく（請求項２の発明）、これにより、防滴や防塵、さらには外観の面において、開口部を別の部位に設ける場合に比べて有利となる。
【０００９】
また、より具体的には、本体ケース内に、少なくとも開口部側が開口する結像光学部収容部を有すると共に受光センサが位置決め状態に取付けられる光学部取付部材を配設し、結像光学部を、保持部材に保持させた状態で、その結像光学部収容部に対して受光センサの読取光軸とは交差する方向に挿抜されるように構成することができる（請求項３の発明）。これによれば、結像光学部が保持部材に保持された状態で光学部取付部材の結像光学部収容部に収容されるので、取扱性が向上すると共に、取付，取外し性を良好とすることができる。
【００１０】
ところで、結像光学部を本体ケース内に取付ける（交換する）にあたっては、受光センサとの間の位置合せが重要となる。そこで、上記請求項３記載の発明において、保持部材を、結像光学部を位置決め状態に保持する位置決め保持部を有して構成すると共に、その保持状態で光学部取付部材の所定位置に着脱可能に取付ける構成とすることができ（請求項４の発明）、これにより、結像光学部を、受光センサとの間の位置合せ状態で取付けることができる。
【００１１】
あるいは、上記蓋に、結像光学部を位置決め状態に保持する位置決め保持部を有する保持部材と一体化すると共に、該蓋を、開口部を閉塞すべく本体ケースに取付けた状態で、光学部取付部材に対して所定の位置関係を維持するように構成することができる（請求項５の発明）。これによれば、部品数を少なくして構成を簡単化しながらも、結像光学部を、受光センサとの間の位置合せ状態で取付けることができる。
【００１２】
さらには、上記蓋に、結像光学部をルーズな状態に保持する保持部材を一体的に設けると共に、該蓋を、開口部を閉塞すべく本体ケースに取付けることにより、光学部取付部材に設けられた位置決め保持部によって結像光学部が位置決め状態に保持されるように構成しても良い（請求項６の発明）。これによれば、部品数を少なくして構成を簡単化しながらも、結像光学部を、受光センサとの間の位置合せ状態で取付けることができる。
【００１３】
上記請求項４〜６において、前記位置決め保持部を、少なくとも一対の弾性を有する挟持爪を有し、結像光学部が挟持爪間に挿入されることにより、それら挟持爪の弾性によって挟み込んで保持するように構成することができる（請求項７の発明）。これによれば、比較的簡単な構成で、位置決め保持部により容易に結像光学部を保持させることができるようになる。
【００１４】
また、上記結像光学部収容部を、開口以外が隔壁により囲まれて閉鎖空間を形成するように構成すると共に、その隔壁のうち少なくとも受光センサの読取光軸が通る２面を透光性を有するものとすることができる（請求項８の発明）。これによれば、結像光学部の交換時などにおいて、電気部品の配設部分等の他の部分に対する防塵を図ることができる。隔壁のうち受光センサの読取光軸が通る２面は透光性を有するので、読取りに支障を来すことがないことは勿論である。
【００１５】
そして、保持部材を、複数の結像光学部を保持することが可能に構成すると共に、そのうち一の結像光学部が読取光軸上に位置されて入射光を受光センサ上に結像させるような構成とすることができる（請求項９の発明）。これによれば、現在使用していない別の結像光学部を、保持部材により保持させておくことができ、本体ケース内に別の結像光学部のいわば保管場所を確保しておくことができる。
【００１６】
またこのとき、その保持部材を、複数の方向に取付け可能とし、その取付方向を変更することにより、読取光軸上に位置される結像光学部が変更されるように構成することもできる（請求項１０の発明）。これによれば、使用していない結像光学部の保管場所を確保できることに加えて、結像光学部を保持部材から取外さなくても交換することが可能となり、交換作業を極めて容易とすることができる。
【００１７】
上記複数の結像光学部としては、光学特性のうち少なくとも焦点距離が互いに相違するものとすることができる（請求項１１の発明）。これによれば、結像光学部を、装置の使用状況つまり光学的情報の読取距離や読取幅に応じた焦点距離のものに容易に交換することが可能となる。
【００１８】
【発明の実施の形態】
以下、本発明をハンディタイプのバーコードリーダに適用したいくつかの実施例について、図１ないし図９を参照しながら説明する。
（１）第１の実施例
まず、本発明の第１の実施例（請求項１，２，３，４，７に対応）について、図１ないし図５を参照して述べる。
【００１９】
図４は、本実施例に係る光学的情報読取装置たるバーコードリーダ１１の全体構成を概略的に示しており、このバーコードリーダ１１は、例えばプラスチック製の本体ケース１２内に、メイン基板１３や、光学的情報この場合バーコードを光学的に読取るための読取機構としての光学ユニット１４等を配設して構成されている。
【００２０】
前記本体ケース１２は、上下に分割された上ケース１２ａと下ケース１２ｂとを突合せ接合して構成され、全体として、ユーザが片手で持って操作できる程度の、前後方向（図４で左右方向）に長い、薄形の矩形箱状に構成されている。また、この本体ケース１２の先端面（図で左側）には、横長な読取口１５が形成されており、その読取口１５部分（やや内部に引込んだ位置）には、透光性ある防塵プレート１６が取付けられている。
【００２１】
そして、前記光学ユニット１４は、図５にも示すように、光学部取付部材としての取付ベース１７内に、バーコードを読取るためのＣＣＤセンサ等の受光センサ１８、結像光学部としてのレンズユニット１９、照明光を出射する照明装置２０を組付けて構成されている。前記取付ベース１７は、前面及び後面が開口し、前後方向中央部がくびれた如き形状をなす薄形の箱状をなし、その後端部に前記受光センサ１８が、前方を向いた状態で位置決め状態に取付けられている。
【００２２】
また、前記照明装置２０は、照明光源としての例えばＬＥＤ２１と、その前部に配置された照明用レンズ２２とを、取付ベース１７内の前部側に位置して、前記受光センサ１８の読取光軸Ｌの左右に設けて構成されている。そして、前記結像光学部としてのレンズユニット１９は、円筒状をなす筒体（鏡筒）内に、図示しない複数枚の結像レンズ、更には必要に応じて絞りや色フィルタ等を取付けて構成されている。この場合、前記筒体の外周部は、図２，図３等にも示すように、前後両端部がやや径大に構成され、それらの間の中央部分がやや径小な径小部１９ａとされている。
【００２３】
このレンズユニット１９は、取付ベース１７内のほぼ中央部の読取光軸Ｌ上に位置して設けられるようになっており、従って、取付ベース１７（光学ユニット１４）内のほぼ中央部が結像光学部収容部１７ａとされる。このとき、レンズユニット１９は、光学ユニット１４ひいては本体ケース１２に対して着脱可能に取付けられるようになっており、その取付構造の詳細については後述する。
【００２４】
尚、本実施例では、このレンズユニット１９は、複数例えば２種類が用意されるようになっており、それらは同等の筒体（外形）内に異なる結像レンズを備えて構成され、光学特性としての焦点距離が相互に異なるものとされている。以下、２つのレンズユニット１９を区別する必要がある場合には、符号１９の後に、（Ａ），（Ｂ）を付して区別することとする。具体例をあげると、レンズユニット１９（Ａ）は、読取距離が例えば０〜３５ｍｍとされ、レンズユニット１９（Ｂ）は、読取距離が例えば４０〜１００ｍｍとされている。
【００２５】
以上のように構成された光学ユニット１４は、図４に示すように、本体ケース１２内の前記メイン基板１３の下面側に取付けられ、このときメイン基板１３との間の電気的な接続がなされるようになっている。メイン基板１３には、図示はしないが、前記照明装置２０（ＬＥＤ２１）に対する通電回路や、前記受光センサ１８の撮像信号の処理回路などが設けられている。そして、このメイン基板１３に接続されたケーブル２３が、本体ケース１２の後端部から外部に導出され、外部機器（コンピュータやＰＯＳレジ等）に接続されるようになっている。
【００２６】
これにて、ＬＥＤ２１を光源とする照明装置２０からの光が、読取口１５から前方に出射されて該読取口１５の前方に配された読取対象のバーコードに照射され、その反射光が読取口１５から入射し、レンズユニット１９により受光センサ１８上に結像され、もってバーコードが読取られるようになっている。このとき、バーコードリーダ１１の読取距離（読取口１５から読取対象までの距離）及び読取範囲（読取幅）は、前記レンズユニット１９（結像レンズ）の光学特性（焦点距離）により決まったものとなる。
【００２７】
さて、前記レンズユニット１９の取付構造について、図１〜図３も参照して述べる。まず、図１及び図４に示すように、前記本体ケース１２の下面部（下ケース１２ｂ）には、前記レンズユニット１９の取付部分（前記結像光学部収容部１７ａ）の下方に位置して、比較的大きな矩形状の開口部２４が設けられており、この開口部２４は、本体ケース１２と同等のプラスチック製の蓋２５により開閉されるようになっている。
【００２８】
この場合、図１に示すように、本体ケース１２（下ケース１２ｂ）の前記開口部２４周辺は、上方に凸となる凹所１２ｃとされ、前記蓋２５は、その凹所１２ｃ内に、ほぼ密に且つその下面が本体ケース１２の下面と面一となるように嵌込まれた状態で、下ケース１２ｂに一体的に設けられたねじボス部１２ｄに対してねじ２６を締付けることにより、着脱（開閉）可能に取付けられ（ねじ止めされ）るようになっている。
【００２９】
一方、図１に示すように、前記光学ユニット１４の取付ベース１７の底板部には、前記結像光学部収容部１７ａの下面側に矩形状の開口１７ｂが形成されており、前記レンズユニット１９は、保持部材２７に保持された状態で、その開口１７ｂ部分に着脱可能に取付けられるようになっている。即ち、前記保持部材２７は、図２，図３にも示すように、矩形板状をなす取付板部２８と、レンズユニット１９を保持するための位置決め保持部２９とを有して構成されている。
【００３０】
このとき、図１及び図２に示すように、前記取付板部２８は、その中央部上面に、前記開口１７ｂに対応した矩形状に凸となった段部２８ａを有し、また、前後の端部には、夫々ねじ挿通孔２８ｂが形成されている。前記位置決め保持部２９は、金属板ばねから、半円よりもやや短い円弧状に湾曲形成された一対の挟持爪２９ａを、前記段部２８ａの上面に向い合うように配置して構成されており、またこの場合、挟持爪２９ａの幅寸法は、前記レンズユニット１９の筒体の径小部１９ａの軸方向長さ寸法に対応している。
【００３１】
これにて、図３に示すように、それら挟持爪２９ａの弾性を利用して（図３（ａ）に想像線で示すように両挟持爪２９ａ間を押し広げるようにして）、レンズユニット１９の径小部１９ａを両挟持爪２９ａ間に上方から挿入することによって、レンズユニット１９が、両挟持爪２９ａ間に挟み込まれて着脱可能に保持されるのである。このとき、レンズユニット１９は、位置決め保持部２９により、保持部材２７にずれ動くことなく位置決め状態に保持されるようになっているのである。同様に、両挟持爪２９ａ間を押し広げるようにしてレンズユニット１９を位置決め保持部２９から抜出すことができる。
【００３２】
そして、図１に示すように、前記取付ベース１７の開口１７ｂの前後部には、前記保持部材２７（ひいてはレンズユニット１９）を着脱可能に取付けるためのねじボス部１７ｃが一体的に設けられている。保持部材２７は、取付ベース１７に対し、開口１７ｂに段部２８ａが下方から嵌込まれた（このとき、必然的にレンズユニット１９が開口１７ｂを通して挿入される）状態で、ねじ３０をねじ挿通孔２８ａを通してねじボス部１７ｃに締付けることにより、取付けられるようになっている。
【００３３】
これにより、レンズユニット１９を位置決め状態に保持した保持部材２７が、取付ベース１７の所定位置に着脱可能に取付けられるようになっているのである。またこのとき、レンズユニット１９は、本体ケース１２に対し、受光センサ１８の読取光軸Ｌとは交差（ほぼ直交）する方向である上下方向に挿抜可能に配設されているのである。
【００３４】
次に、上記構成の作用について述べる。今、ユーザは、例えばレンズユニット１９（Ａ）が組込まれたバーコードリーダ１１を、読取距離が短い状態で使用している（バーコードに対し読取口１５を接触させるようにして読取る）とする。ところが、使用状況が変化し、読取距離を長くする（バーコードを離れて読取る）ように変更したいケースが生ずる。このような場合には、レンズユニット１９（Ａ）を、読取距離（焦点距離）が長いレンズユニット１９（Ｂ）に交換することにより対応することができる。そのレンズユニット１９の交換作業は次のようにして行うことができる。
【００３５】
即ち、まず、本体ケース１２に蓋２５を取付けているねじ２６を取外して蓋２５を取外し、本体ケース１２の下面の開口部２４を開放させる。次に、保持部材２７を光学ユニット１４の取付ベース１７に取付けているねじ３０を取外し、レンズユニット１９を保持している保持部材２７を、開口部２４から下方に抜出すように取外す。次いで、保持部材２７の位置決め保持部２９に保持されているレンズユニット１９（Ａ）を、両挟持爪２９ａ間を押し広げるようにして上方に抜出し、別のレンズユニット１９（Ｂ）を、両挟持爪２９ａ間を押し広げるようにして嵌込む。
【００３６】
これにより、保持部材２７にレンズユニット１９（Ｂ）が位置決め状態に保持されるようになる。そして、レンズユニット１９（Ｂ）部分を、開口部２４さらには取付ベース１７の開口１７ｂに下方から挿入するようにしながら、保持部材２７の段部２８ａを取付ベース１７の開口１７ｂ内に嵌込むようにし、ねじ３０を締付けて保持部材２７を取付ける。最後に、蓋２５を本体ケース１２にねじ止めして開口部２４を閉塞することにより、交換作業が完了する。
【００３７】
しかして、上記のようにレンズユニット１９を交換するにあたっては、レンズユニット１９と受光センサ１８との間の位置合せが重要となる。上記構成においては、レンズユニット１９を位置決め状態に保持した保持部材２７を、受光センサ１８が予め位置決め状態に取付けられている取付ベース１７に対し、その所定位置に取付けるようにしているので、レンズユニット１９が、いわば自動的に受光センサ１８に対する位置合せ状態に取付けられるのである。
【００３８】
このように本実施例によれば、本体ケース１２に設けられた開口部２４からレンズユニット１９を保持した保持部材２７を挿脱することができる構成としたので、本体ケース１２内に組込まれるレンズユニット１９の交換作業を、本体ケース１２を分解するといったことなく、容易且つ確実に行うことができる。また、本実施例では、レンズユニット１９の交換のための開口部２４を本体ケース１２の下面部に設けるようにしたので、防滴や防塵、さらには外観の面において、開口部２４を別の部位に設ける場合に比べて有利となる。
【００３９】
さらに、特に本実施例では、レンズユニット１９を保持部材２７に保持させた状態で、取付ベース１７に対して着脱する構成としたので、取扱性が向上すると共に、取付，取外し性を良好とすることができ、しかもこのとき、レンズユニット１９を一対の挟持爪２９ａを有する位置決め保持部２９によって位置決め状態に保持させるようにしたので、保持部材２７に対するレンズユニット１９の着脱作業も簡単となると共に、レンズユニット１９を受光センサ１８との間の位置合せ状態で容易に取付けることができるという利点も得ることができる。
【００４０】
（２）第２〜第５の実施例、その他の実施例
次に、図６ないし図９をそれぞれ参照しながら、本発明の第２〜第５の実施例について述べる。尚、これら第２〜第５の実施例は、上記第１の実施例のいわば変形例ということができるので、上記第１の実施例と同一部分には、同一符号を付して詳しい説明や新たな図示を省略し、以下、上記第１の実施例と異なる点についてのみ述べることとする。
【００４１】
図６は、本発明の第２の実施例（請求項５，７に対応）を示している。この実施例が上記第１の実施例と異なる点は、本体ケース１２に設けられた開口部３１を開閉する蓋３２に、レンズユニット１９を位置決め状態に保持する位置決め保持部３３を有する保持部材を一体化した構成にある。即ち、前記開口部３１は、本体ケース１２（下ケース１２ｂ）の下面部の、結像光学部収容部１７ａ（光学ユニット１４の取付ベース１７の開口１７ｂ）の下方に位置して、上記第１の実施例の開口部２４よりも小さく形成されている。
【００４２】
そして、前記蓋３２は、凹所１２ｃに嵌り込んで開口部３１を閉塞する蓋主部３２ａの上面に、レンズユニット１９を位置決め状態に保持する位置決め保持部３３を一体的に有して構成されている。前記位置決め保持部３３は、やはり一対の保持爪３３ａによってレンズユニット１９を保持するようになっている。この蓋３２は、蓋主部３２ａが本体ケース１２のねじボス部１２ｄに対してねじ止めされることにより取付けられるようになっている。
【００４３】
また、このとき、光学ユニット１４の取付ベース１７の底板部が、本体ケース１２（下ケース１２ｂ）の開口部３１の近傍に設けられた複数箇所のねじボス部１２ｅに対してねじ３４によりねじ止め固定され、本体ケース１２（下ケース１２ｂ）に対して取付ベース１７（ひいては受光センサ１８）が所定の位置関係を維持するようになっている。
【００４４】
上記構成において、レンズユニット１９を交換するにあたっては、蓋３２を本体ケース１２に取付けているねじ２６を外して蓋３２を下方に取外すことにより、レンズユニット１９を抜出すことができ、位置決め保持部３３に保持されているレンズユニット１９を交換した上で、レンズユニット１９を下方から開口部３１及び開口１７ｂに挿入するようにして蓋３２を閉め、ねじ２６を締付ければ良い。
【００４５】
このとき、レンズユニット１９が蓋３２に位置決め状態に保持されると共に、取付ベース１７ひいては受光センサ１８が予め本体ケース１２に対して所定位置に取付けられているので、蓋３２を本体ケース１２の所定位置に取付けることにより、レンズユニット１９が受光センサ１８に対する位置合せ状態とされるのである。
【００４６】
このような第２の実施例によれば、レンズユニット１９の交換作業を容易に行うことができるなどの上記第１の実施例と同様の効果を得ることができる。そして、これに加えて、上記第１の実施例に比べて部品数を少なくして構成を簡単化することができると共に、レンズユニット１９の交換作業を行うにあたって、着脱するべきねじの数（着脱回数）を少なくすることができ、その分交換作業がより簡単となる。
【００４７】
図７は、本発明の第３の実施例（請求項６，７に対応）を示している。この第３の実施例においては、上記第２の実施例と同様に、保持部材が蓋３５に一体化され、レンズユニット１９は蓋３５の上面に設けられた保持部３６により保持された状態で挿抜されるようになっているのであるが、光学ユニット１４の取付ベース１７の上板部に設けられた位置決め保持部３７により、取付ベース１７ひいては受光センサ１８に対する位置決め状態に保持されるようになっている。
【００４８】
即ち、蓋３５は、凹所１２ｃに嵌り込んで開口部３１を閉塞する蓋主部３５ａの上面に、レンズユニット１９をルーズな状態に保持する保持部３６を一体的に有して構成されている。この場合、保持部３６は、蓋主部３５ａの上面から上方に立上がり、レンズユニット１９（筒体）の前後方向（軸方向）両端部（径大部）の外周部が遊びをもって嵌り込むような円形開口部３６ａを有する一対の保持板から構成されている。これにて、保持部３６は、レンズユニット１９を周方向及び軸方向に微小な隙間（がた）をもって保持するようになっている。
【００４９】
そして、詳しく図示はしないが、前記位置決め保持部３７は、第１の実施例の位置決め保持部２９の挟持爪２９ａと同様に、板ばね製の一対の挟持爪３７ａから構成され、レンズユニット１９の径小部１９ａを位置決め状態に保持するようになっている。尚、レンズユニット１９の上下方向に対する保持力は、位置決め保持部３７よりも保持部３６の方が大きくなるように構成されており、つまり、保持部３６は、蓋３５の着脱によりレンズユニット１９が挟持爪３７ａ間を押し広げながら挿抜される程度の保持力を有するようになっている。
【００５０】
上記構成において、レンズユニット１９を交換するにあたっては、蓋３５を本体ケース１２に取付けているねじ２６を外して蓋３５を下方に取外すことにより、レンズユニット１９が位置決め保持部３７から抜けて下方に抜出すことができ、保持部３６に保持されているレンズユニット１９を交換した上で、レンズユニット１９を下方から開口部３１及び開口１７ｂに挿入するようにして蓋３２を閉めると、レンズユニット１９が位置決め保持部３７により位置決め状態とされ、その状態でねじ２６を締付ければ良い。
【００５１】
この第３の実施例によっても、上記第２の実施例と同様に、レンズユニット１９の交換作業を容易に行うことができ、これに加えて、上記第１の実施例に比べて部品数を少なくして構成を簡単化することができると共に、レンズユニット１９の交換作業を行うにあたって、着脱するべきねじの数（着脱回数）を少なくすることができ、その分交換作業がより簡単となる。そして、レンズユニット１９は、取付ベース１７に設けられた位置決め保持部３７により位置決めされるので、位置決めのための構成がより簡単となると共に、位置合せの確実性を高めることができる。
【００５２】
図８は、本発明の第４の実施例（請求項８に対応）を示すものである。この第４の実施例では、レンズユニット１９の保持構造は上記第２の実施例と同等であるが、光学ユニット１４の取付ベース３８に設けられる結像光学部収容部３８ａが、下面側の開口３８ｂを除いて、隔壁に囲まれて閉鎖空間を形成するようになっている。
【００５３】
即ち、取付ベース３８は、結像光学部収容部３８ａの左右の側壁部及び上壁部を構成しているのであるが、本実施例では、結像光学部収容部３８ａの前後部（図では左右部）についても閉鎖するように隔壁３８ｃ，３８ｄが一体に設けられている。そして、それら隔壁３８ｃ，３８ｄのうち読取光軸Ｌが通る（光路）部分は開口部が形成され、その開口部を塞ぐように透明窓３９が夫々設けられている。これにて、隔壁のうち読取光軸Ｌが通る２面は透光性を有して構成されているのである。
【００５４】
このような第４の実施例によれば、レンズユニット１９の交換作業を容易に行うことができ、しかも部品数を少なくして構成を簡単化することができると共に交換作業がより簡単となる等の上記第２の実施例と同様の効果を得ることができ、これに加えて、レンズユニット１９の交換時などにおいて、電気部品の配設部分等の他の部分に対する防塵を図ることができる。受光センサ１８の読取光軸Ｌが通る２面の隔壁３８ｃ，３８ｄには透明窓３９が設けられているので、読取りに支障を来すことがないことは勿論である。
【００５５】
図９は、本発明の第５の実施例（請求項９，１０，１１に対応）における保持部材４０の構成を示している。この保持部材４０は、横方向に大形の矩形板状の取付板部４１の上面に複数個の場合２個の位置決め保持部４２を左右に並んで有している。各位置決め保持部４２は、やはり、レンズユニット１９の径小部１９ａを位置決め状態に保持するための一対の挟持爪４２ａを有して構成されている。また、前記取付板部４１の前後辺部の中央部には、保持部材４０を光学ユニット１４の取付ベース１７にねじ止めするためのねじ挿通孔４１ａが夫々設けられている。
【００５６】
そして、各位置決め保持部４２は、例えば焦点距離（読取距離）が互いに相違するレンズユニット１９（Ａ）及びレンズユニット１９（Ｂ）が保持されるようになっている。このとき、保持部材４０は、読取光軸Ｌに対して図で左方向にずれて取付けられるようになっており、右側に位置するレンズユニット１９（図ではレンズユニット１９（Ａ））が読取光軸Ｌ上に位置されるようになっている。さらに、保持部材４０の取付方向を変更する、本実施例では水平方向（垂直軸回り）に１８０度回転させた状態として取付けることにより、読取光軸Ｌ上に位置されるレンズユニット１９が、レンズユニット１９（Ａ）とレンズユニット１９（Ｂ）との間で変更されるようになっている。
【００５７】
上記構成においては、レンズユニット１９を交換するにあたっては、蓋２５を取外して本体ケース１２の開口部２４を開放させ、その状態で、保持部材４０を取付ベース１７に取付けているねじ３０を外し、保持部材４０を１８０度回転させた状態で、再び保持部材４０を取付ベース１７にねじ止めし、蓋２５を本体ケース１２にねじ止めして開口部２４を閉塞すれば良い。
【００５８】
このような第５の実施例によれば、レンズユニット１９の交換作業を本体ケース１２を分解するといったことなく容易且つ確実に行うことができる等の上記第１の実施例と同様の効果を得ることができることに加え、レンズユニット１９の交換作業時に、保持部材４０の位置決め保持部４２からレンズユニット１９をいちいち取外さなくとも済むようになり、交換作業をより簡単に行うことができる。しかも、使用していない別のレンズユニット１９を、保持部材４０により保持させて本体ケース１２内に保管しておくことができ、別の保管場所に保管しておくことを不要とすることができるメリットを得ることができるものである。
【００５９】
尚、上記第５の実施例においては、保持部材４０の取付方向を変更することにより、レンズユニット１９の交換を行うことができるように構成したが、単純に使用しているレンズユニット１９以外の別のレンズユニット１９を保持しておくことができるように構成しても、保管場所を確保することができるメリットを得ることができる。この場合、１個の保持部材に、３個以上のレンズユニット１９を保持できる構成としても良い。
【００６０】
また、上記各実施例においては、光学特性として、焦点距離（読取距離）の相違するレンズユニット１９を交換するようにしたが、異なる色の色フィルタを有する（あるいは色フィルタの有するものと無いもの）レンズユニットを交換する構成としても良い。その他、読取機構（光学ユニット）の構成としてもミラーを使用する等の変形が可能であり、保持部材や蓋等の取付構造、位置決め保持部の構成等についても様々な変形が可能であり、また、本発明はバーコードリーダに限らず、光学的情報として例えばＱＲコード等の二次元コードを読取る読取装置に適用することもできる等、要旨を逸脱しない範囲内で適宜変更して実施し得るものである。
【図面の簡単な説明】
【図１】本発明の第１の実施例を示すもので、レンズユニットの取付部分の拡大縦断側面図
【図２】保持部材にレンズユニットを保持させた状態の斜視図
【図３】保持部材にレンズユニットを保持させる際の様子を示す正面図（ａ）及び側面図（ｂ）
【図４】バーコードリーダの縦断側面図
【図５】光学ユニットの構成を透視状態で示す斜視図
【図６】本発明の第２の実施例を示す図１相当図
【図７】本発明の第３の実施例を示す図１相当図
【図８】本発明の第４の実施例を示す図１相当図
【図９】本発明の第５の実施例を示す図２相当図
【図１０】従来例を示すもので、バーコードリーダの読取機構部分を透視状態で示す斜視図
【符号の説明】
図面中、１１はバーコードリーダ（光学的情報読取装置）、１２は本体ケース、１４は光学ユニット、１５は読取口、１７，３８は取付ベース（光学部取付部材）、１７ａ，３８ａは結像光学部収容部、１７ｂ，３８ｂは開口、１８は受光センサ、１９はレンズユニット（結像光学部）、１９ａは径小部、２４，３１は開口部、２５，３２，３５は蓋、２７，４０は保持部材、２９，３３，４２は位置決め保持部、２９ａ，３３ａ，４２ａは挟持爪、３６は保持部、３７は位置決め保持部、３７ａは挟持爪、３８ｃ，３８ｄは隔壁、３９は透明窓、Ｌは読取光軸を示す。
【図１】
2004054840.tif 000003
【図２】
2004054840.tif 000004
【図３】
2004054840.tif 000005
【図４】
2004054840.tif 000006
【図５】
2004054840.tif 000007
【図６】
2004054840.tif 000008
【図７】
2004054840.tif 000009
【図８】
2004054840.tif 000010
【図９】
2004054840.tif 000011
【図１０】
2004054840.tif 000012